(57)【要約】      （修正有）【課題】固定具の長さ調整を容易に行うヘッドライトを提供する。【解決手段】ヘッドライト１は、光を照射するライト本体１０と、使用者の頭に装着するための固定具２０と、ライト本体１０と固定具２０を通じて連結された電池ボックス３０とを備える。固定具２０のトップ部２１の端部は、電池ボックス３０内に通されて下向きに外に出されている。電池ボックス３０は、トップ部２１の端部を通すための貫通穴３３１の周りにトップ部２１の端部を接離可能に保持する長さ調整機構４０を設ける。【選択図】図１
2016051674.tif 000002
【特許請求の範囲】
【請求項１】
光を照射するライト本体と、使用者の頭に装着するためのリード、ベルトその他の固定具と、前記ライト本体と前記固定具を通じて連結され且つ前記ライト本体の電源である電池を収納可能な電池ボックスとを備えており、
前記固定具は、装着状態で使用者の頭の頂部に位置するトップ部と、装着状態で使用者の頭の周りに位置するサイド部とを有し、前記固定具のトップ部の端部が前記電池ボックス内に通されて下向きに外に出されており、
前記電池ボックスは、当該トップ部の端部を通すための貫通穴又はその周りに前記トップ部の端部を接離可能に保持する長さ調整機構が設けられていることを特徴とするヘッドライト。
【請求項２】
請求項１記載のヘッドライトにおいて、
前記固定具は、前記トップ部の一部分と前記サイド部と前記トップ部の他部分とが直線状に一体になっており、前記ライト本体及び前記電池ボックスに通されて掛け回され且つ前記トップ部の一部分の開放側端部と前記トップ部の他部分の開放側端部との双方が前記電池ボックスから下向きに外に出されていることを特徴とするヘッドライト。
【請求項３】
請求項１又は２記載のヘッドライトにおいて、
前記長さ調整機構は、前記電池ボックスの表面に押圧可能に設けられたロック解除ボタンと、前記ロック解除ボタンを常時付勢する弾性部材と、前記ロック解除ボタンの支持部材であって前記貫通穴に連通可能な開口が形成された保持部とを備え、前記ロック解除ボタンが前記弾性部材の弾性力に抗して押圧された状態で前記固定具のトップ部の端部が前記貫通穴を通じて前記保持部の開口に任意に通すことが可能である一方、前記ロック解除ボタンが押圧されず前記弾性部材の弾性力により元の位置に戻された初期状態で前記固定具のトップ部の端部が前記保持部の開口の内面に接触して保持可能である構成になっていることを特徴とするヘッドライト。
【発明の詳細な説明】
【技術分野】
【０００１】
本発明は、ヘッドライトに関する。
【背景技術】
【０００２】
キャンプや登山等の屋外レジャーにおいて、ヘッドライトにより前方を照明する場合がある。この種のヘッドライトは、光を照射する電池式のライト本体と、使用者の頭に装着するためのバンド等の固定具からなり、固定具についてはバックル等により長さ調整可能になっているのが一般的である(例えば、特許文献１等参照)。  
【先行技術文献】
【特許文献】
【０００３】
【特許文献１】特許第３７４８７０２号公報
【発明の概要】
【発明が解決しようとする課題】
【０００４】
しかしながら、上記従来例による場合、使用者の頭のサイズに合うように固定具の長さを適切に調整するには、何回も装着を繰り返すことが必要になるケースが多く、この点で使い勝手が悪いという問題が指摘されている。
【０００５】
本発明は、上記事情に鑑みて創案されたものであって、その目的とするところは、固定具の長さ調整を容易に行うことが可能なヘッドライトを提供することにある。
【課題を解決するための手段】
【０００６】
本発明のヘッドライトは、光を照射するライト本体と、使用者の頭に装着するためのリード、ベルトその他の固定具と、ライト本体と固定具を通じて連結され且つライト本体の電源である電池を収納可能な電池ボックスとを備えており、固定具は、装着状態で使用者の頭の頂部に位置するトップ部と、装着状態で使用者の頭の周りに位置するサイド部とを有し、固定具のトップ部の端部が電池ボックス内に通されて下向きに外に出されており、電池ボックスは、当該トップ部の端部を通すための貫通穴又はその周りにトップ部の端部を接離可能に保持する長さ調整機構が設けられている。
【０００７】
上記発明によると、ライト本体が前側、電池ボックスが後側に来るように、固定具を使用者の頭に置いた状態で、電池ボックスから下に垂れた固定具のトップ部の端部を下方向に引っ張ると、ライト本体や電池ボックスの重みで固定具が変に位置ずれすることなく装着が完了になる。と同時に固定具の長さ調整が行われる。よって、固定具の長さ調整を容易に行うことが可能になり、従来のように装着を何回も繰り返すことが不要であることから、使い勝手が格段に良好になる。
【０００８】
好ましくは、固定具については、トップ部の一部分とサイド部とトップ部の他部分とが直線状に一体になっており、ライト本体及び電池ボックスに通されて掛け回され且つトップ部の一部分の開放側端部とトップ部の他部分の開放側端部との双方が電池ボックスから下向きに外に出された構成にすることが望ましい。
【０００９】
上記形態によると、装着と同時に固定具のトップ部だけでなくサイド部についても同時に長さ調整が行われることから、一層使い勝手が良好になる。
【００１０】
好ましくは、長さ調整機構については、前記電池ボックスの表面に押圧可能に設けられたロック解除ボタンと、前記ロック解除ボタンを常時付勢する弾性部材と、前記ロック解除ボタンの支持部材であって前記貫通穴に連通可能な開口が形成された保持部とを備え、前記ロック解除ボタンが前記弾性部材の弾性力に抗して押圧された状態で前記固定具のトップ部の端部が前記貫通穴を通じて前記保持部の開口に任意に通すことが可能である一方、前記ロック解除ボタンが押圧されず前記弾性部材の弾性力により元の位置に戻された初期状態で前記固定具のトップ部の端部が前記保持部の開口の内面に接触して保持可能である構成にすると良い。
【００１１】
上記形態によると、ロック解除ボタンを押すと、固定具のトップ部の保持が解除されるようになっていることから、固定具の長さ調整だけでなくヘッドライトの取り外しも容易に行うことができ、この点で使い勝手が一層良好になる。また、長さ調整機構の構造がシンプルであることから、低コストの図る面でもメリットがある。
【図面の簡単な説明】
【００１２】
【図１】本発明の実施形態に係るヘッドライトの前方視斜視図である。
【図２】同ヘッドライトの後方視斜視図である。
【図３】同ヘッドライトの電池ボックスを下方から見た部分斜視図である。
【図４】同ヘッドライトの長さ調整機構を説明するための概略内部構成図であって、(Ａ)はロック解除ボタンの非押印状態、(Ｂ)はロック解除ボタンの押印状態を各々示している。
【発明を実施するための形態】
【００１３】
以下、本発明の実施形態を図１乃至図４を参照して説明する。
【００１４】
ここに例として挙げるヘッドライト１は図面に示されているような形状になっており、光を照射するライト本体１０と、使用者の頭（図示省略）に装着するためのリードである固定具２０と、ライト本体１０と固定具２０を通じて連結され且つライト本体１０の電源である電池（図示されず）を収納可能な電池ボックス３０とを備えている。固定具２０の後述するトップ部２１の端部は、電池ボックス３０内に通されて下向きに外に出されている。電池ボックス３０は、トップ部２１の端部を通すための貫通穴３３１の周りにトップ部２１の端部を接離可能に保持する長さ調整機構４０が設けられている。
【００１５】
ライト本体１０については、光源であるＬＥＤ１１１が内蔵され且つＬＥＤ１１１から発せられた光をレンズ１１２を通じて前方に照射可能なライト部１１と、ライト部１１の裏側に一体的に設けられており且つ使用者の前頭部に沿って若干湾曲した帯状をなしたベース部１２と、ベース部１２に接続されており且つ電池ボックス３０から電源供給を受けるための電源ケーブル１３とを備えている。
【００１６】
なお、ベース部１２の前面の左右両側には固定具２０（具体的には後述するライン２１１、２１２）を鉛直方向に対して若干斜め方向に通すための円筒状のガイド１２１，１２１が各々設けられている。電源ケーブル１３は、リング１３１により後述するライン２２１に結束されている。
【００１７】
固定具２０については、装着状態で使用者の頭の頂部に位置するトップ部２１と、装着状態で使用者の頭の周りに位置するサイド部２２とを有している。ここでは、トップ部２１はライン２１１とライン２１２の各部位からなり、サイド部２２はライン２２１とライン２１２の各部位からなるものとしている。
【００１８】
本案例では、固定具２０として一本のラインを使用しており、トップ部２１のライン２１１（クレームで言うトップ部の一部分に相当）と、サイド部２２のライン２２１、ライン２２２と、トップ部のライン２１２（クレームで言うトップ部の他部分に相当）とがこの順番に直線状に一体になっている。
【００１９】
固定具２０については、ライト本体１０のガイド１２１,１２１及び電池ボックス３０の後述するガイド３２１,３２１に順次通されて掛け回されており、ライン２１１の端部（開放側端部）とライン２２２の端部(開放側端部) との双方が電池ボックス３０から下向きに外に出されている。なお、ライン２１１の端部とライン２２２の端部とは、結束部材２３を用いて結束されている。
【００２０】
電池ボックス３０については、複数本の電池を収納可能な本体３１と、本体３１の裏側に一体的に設けられており且つ使用者の後頭部に沿って若干湾曲した板状をなしたベース部３２と、ベース部３１の裏側（本体３１との間）に一体的に設けられた略箱状をなしたボタン枠部３３とを有している。ボタン枠部３３の上側面と下側面には、上下方向に貫通穴３３１,３３１が平行に設けられており、ボタン枠部３３内の上側に長さ調整機構４０が設けられている。長さ調整機構４０は、長さ調整機構４０のロック解除ボタン４１の頭部がボタン枠部３３の開口から露出している（図２参照）。
【００２１】
長さ調整機構４０については、図４に示されているように、電池ボックス３０のボタン枠部３３の表面に押圧可能に設けられたロック解除ボタン４１と、ロック解除ボタン４１を上方向に常時付勢するスプリングである弾性部材４３と、ロック解除ボタン４１の下側に一体的に形成された二段軸状の支持部材であって貫通穴３３１に連通可能な一対の開口４２1（図中１つのみ表示）が下側側面に形成された保持部４２とを備えている。ロック解除ボタン４１が弾性部材４３の弾性力に抗して押圧された状態で(図４（Ｂ）参照)、固定具２０のトップ部２１の端部を貫通穴３３１、３３１を通じて保持部４２の開口４２１に任意に通すことが可能である一方、ロック解除ボタン４１が押圧されず弾性部材４３の弾性力により元の位置に戻された初期状態で(図４（Ａ）参照)、固定具２０のトップ部２１の端部を保持部４２の開口４２１の内面に接触して保持可能である構成になっている。
【００２２】
なお、ベース部３１の裏面の左右両側には固定具２０（具体的にはライン２２１、２  ２２）を水平方向に通すための環状のガイド３２１，３２１が各々設けられている（図３参照）。本体３１には、電源ケーブル１３の端部が接続されている。
【００２３】
上記のように構成されたヘッドライト１によると、ライト本体１０が前側、電池ボックス３０が後側に来るように、固定具２０を使用者の頭に置き、ロック解除ボタン４１を指で押圧した状態で、電池ボックス３０から下に垂れた固定具２０のトップ部２１(ライン２２１、２２２) の端部を下方向に引っ張り、固定具２０の長さが適切になったところで、ロック解除ボタン４１から指を離すと、固定具２０のトップ部２１の端部が保持されてロックされる。
【００２４】
この結果、ライト本体１０や電池ボックス３０の重みで固定具２０が変に位置ずれすることなく装着が完了になる。と同時に固定具２０のトップ部２１だけでなくサイド部２２についても長さ調整が行われる。
【００２５】
逆に、ヘッドライト１を使用者の頭から取り外すときには、ロック解除ボタン４１を指で押圧すると、この状態で固定具２０のトップ部２１の端部の保持が解除される。この状態で、固定具２０の張力が弱くなることから、ヘッドライト１を使用者の頭から容易に取り外すことが可能になる。
【００２６】
このように固定具２０の長さ調整を容易に行うことが可能になる。従来のように装着を何回も繰り返すことも不要であることから、使い勝手が格段に良好になる。また、長さ調整機構４０の構造がシンプルであることから、低コストを図る面でもメリットがある。
【００２７】
なお、本発明に係るヘッドライトは、上記実施形態に限定されず、以下のように設計変更しても良い。ライト本体については、光源の種類や形状等につきその用途に応じて適宜設計変更ふると良い。固定具については、リードの代わりにベルトを用いても良く、トップ部とサイド部とを一体とせずに別々にしてもかまわない。長さ調整機構については、電池ボックスについては、固定具のトップ部の端部が貫通穴を通して下向きに外に出すことができる構成で限り、その形状や貫通穴の位置等につき適宜設計変更すると良い。長さ調整機構については、例えば、上記貫通穴内に保持用溝等を形成して、固定具のトップ部の端部を接離可能に保持可能な構成にしてもかまわない。
【符号の説明】
【００２８】
１   ヘッドライト
１０ ライト本体
２０ 固定具
２１ トップ部
２２ サイド部
３０ 電池ボックス
３３１  貫通穴
４０ 長さ調整機構
【図１】
2016051674.tif 000003
【図２】
2016051674.tif 000004
【図３】
2016051674.tif 000005
【図４】
2016051674.tif 000006